(57)【要約】【課題】  入力切替時に発生するボツ音ノイズを低減させる。【解決手段】スイッチＳ１１〜Ｓ１４を有する第１の切替回路１５と、演算増幅器１６と、スイッチＳ１５，Ｓ１６を有する第２の切替回路１７とを設け、第１の切替回路１５のスイッチの１個をオフさせ別の１個をオンさせて入力切替を行うとき、第２の切替回路１７のスイッチの１個をオフさせ別の１個をオンさせてボツ音ノイズを発生させ、該ボツ音ノイズにより第１の切替回路１５の入力切替時に発生するボツ音ノイズを、演算増幅器１６において同相除去させる。【選択図】図１
2008085451.tif 000002
【特許請求の範囲】
【請求項１】
第１の切替回路内のｎ個のスイッチの内の１個をオンさせることによりｎ個の入力端子の内の１個を選択する入力切替方法において、
少なくとも２個のスイッチを有する第２の切替回路を設け、前記第１の切替回路内のスイッチの１個をオフさせ別の１個をオンさせて入力切替を行うとき、前記第２の切替回路内のスイッチの１個をオフさせ別の１個をオンさせてボツ音ノイズを発生させ、該ボツ音ノイズにより前記第１の切替回路の前記入力切替時に発生するボツ音ノイズを打ち消すようにしたことを特徴とする入力切替方法。
【請求項２】
ｎ個の入力端子の１個を選択するｎ個のスイッチを有する第１の切替回路と、該第１の切替回路の出力を非反転入力端子に入力する演算増幅器と、該演算増幅器の反転入力端子と出力端子との間に並列接続された少なくとも２個のスイッチを有する第２の切替回路とを備え、前記第１の切替回路の１個のスイッチをオフし別の１個のスイッチをオンさせるとき、これと同期して前記第２の切替回路の１個のスイッチをオフし他の１個のスイッチをオンさせるようにしたことを特徴とする入力切替回路。
【請求項３】
請求項２に記載の入力切替回路において、
前記第１の切替回路のスイッチと前記第２の切替回路のスイッチが同一特性のＭＯＳＦＥＴで構成されていることを特徴とする入力切替回路。
【請求項４】
請求項２又は３に記載の入力切替回路において、
前記演算増幅器がバイポーラトランジスタで構成されていることを特徴とする入力切替回路。
【発明の詳細な説明】
【技術分野】
【０００１】
本発明は、複数の入力信号から１個の信号を選択する際にボツ音ノイズを低減させるようにした入力切替方法および入力切替回路に関するものである。
【背景技術】
【０００２】
図２に従来のＩＣ化された入力切替回路２０を示す（例えば、特許文献１参照）。２１，２２は音声信号の入力端子、２３〜２５は増幅器、２６は出力端子、２７は制御端子である。この入力切替回路２０では、制御端子２７の電位を制御して、簡略化して表した切替スイッチＳ２１を切り替えることにより、増幅器２３，２４の一方を動作状態に、他方を非動作状態にすることで、入力端子２１，２２の一方の音声信号を選択し増幅して出力端子２６に取り出すことができる。
【０００３】
このとき、制御端子２７の電位が切り替わると、信号切換のボツ音ノイズが発生して出力端子２６に現れる。そこで、制御端子２７の電位の急激な変化を緩和するために、外部端子（図示せず）を設けて、そこに数μＦのコンデンサ（図示せず）を接続し、ボツ音ノイズを可聴帯域外の低い周波数に移し、出力端子２６に現れるボツ音ノイズを軽減している。
【０００４】
図３に別の従来の入力切替回路３０を示す。３１〜３４は音声信号の入力端子、３５は電圧ホロワ、３６は出力端子、３７はコンデンサ、Ｓ３１〜Ｓ３４はスイッチである。この入力切替回路３０では、スイッチＳ３１〜Ｓ３４の内の１個をオンさせることによって、入力端子３１〜３４に入力している内のいずれかの音声信号を選択し出力端子３６に取り出すことができる。この入力切替回路３０でも、スイッチＳ３１〜Ｓ３４の切替時に発生するボツ音ノイズを、当該オンしたスイッチのオン抵抗とコンデンサ３７とで構成されるローパスフィルタで軽減することができる。
【特許文献１】特開平２−２４８１０６号公報
【発明の開示】
【発明が解決しようとする課題】
【０００５】
ところが、図２に示した従来の入力切替回路では、入力端子の数だけ増幅器が必要となるので、入力端子の数が増大するとチップ面積が増加する。また、図２および図３の入力切替回路ともに、切替時に発生するボツ音ノイズを低減するために、コンデンサが別途必要となる。
【０００６】
本発明の目的は、入力端子数が増えても増幅器の数を増やす必要を無くし、またボツ音ノイズ低減用のコンデンサの必要も無くし、且つ入力切替時に発生するボツ音ノイズを低減させるようにした入力切替方法および入力切替回路を提供することである。
【課題を解決するための手段】
【０００７】
上記目的を達成するために、請求項１にかかる発明は、第１の切替回路内のｎ個のスイッチの内の１個をオンさせることによりｎ個の入力端子の内の１個を選択する入力切替方法において、少なくとも２個のスイッチを有する第２の切替回路を設け、前記第１の切替回路内のスイッチの１個をオフさせ別の１個をオンさせて入力切替を行うとき、前記第２の切替回路内のスイッチの１個をオフさせ別の１個をオンさせてボツ音ノイズを発生させ、該ボツ音ノイズにより前記第１の切替回路の前記入力切替時に発生するボツ音ノイズを打ち消すようにしたことを特徴とする。
請求項２にかかる発明の入力切替回路は、ｎ個の入力端子の１個を選択するｎ個のスイッチを有する第１の切替回路と、該第１の切替回路の出力を非反転入力端子に入力する演算増幅器と、該演算増幅器の反転入力端子と出力端子との間に並列接続された少なくとも２個のスイッチを有する第２の切替回路とを備え、前記第１の切替回路の１個のスイッチをオフし別の１個のスイッチをオンさせるとき、これと同期して前記第２の切替回路の１個のスイッチをオフし他の１個のスイッチをオンさせるようにしたことを特徴とする。
請求項３にかかる発明は、請求項２に記載の入力切替回路において、前記第１の切替回路のスイッチと前記第２の切替回路のスイッチが同一特性のＭＯＳＦＥＴで構成されていることを特徴とする。
請求項４にかかる発明は、請求項２又は３に記載の入力切替回路において、前記演算増幅器がバイポーラトランジスタで構成されていることを特徴とする。
【発明の効果】
【０００８】
本発明によれば、入力切替時に発生するボツ音ノイズを、その入力切替時に別に発生させたボツ音ノイズと打ち消すので、端子数が増えても増幅器の数を増やす必要がなく、またボツ音ノイズ低減用のコンデンサも不要になり、効果的にボツ音ノイズを低減させることが可能となる利点がある。
【発明を実施するための最良の形態】
【０００９】
図１は本発明の１個の実施例の入力切替回路１０の構成を示すブロック図である。１１〜１４は入力端子、１５はその入力端子１１〜１４の内の１個を選択する第１の切替回路、１６はその非反転入力端子に第１の切替回路１５が接続される演算増幅器、１７は演算増幅器１６の反転入力端子と出力端子の間に接続された第２の切替回路、１８は出力端子である。第１の切替回路１５はいずれか１個がオンし、残りはオフするスイッチＳ１１〜Ｓ１４からなり、第２の切替回路１７は一方がオンし他方がオフしている２個のスイッチＳ１５，Ｓ１６からなる。これらスイッチＳ１１〜Ｓ１６は同一特性のＭＯＳＦＥＴにより形成されている。
【００１０】
いま、第１の切替回路１５ではスイッチＳ１１がオンし、スイッチＳ１２〜Ｓ１４がオフしており、第２の切替回路１７ではスイッチＳ１５がオンし、スイッチＳ１６がオフしているものとする。
【００１１】
この状態から、第１の切替回路１５でスイッチＳ１１をオフさせスイッチＳ１２をオンさせるとき、これに同期して、第２の切替回路１７のスイッチＳ１５をオフさせ、スイッチＳ１６をオンさせるよう制御する。
【００１２】
このように第１の切替回路１５のスイッチを切り替えるときに、第２の切替回路１７のスイッチを同期して切り替えると、第１の切替回路１５のスイッチ切替時に発生するボツ音ノイズと第２の切替回路１７のスイッチ切替時に発生するボツ音ノイズが、演算増幅器１６の非反転入力端子と反転入力端子に入力して、同相除去される。第２の切替回路１７は、第１の切替回路１５のスイッチＳ１１〜Ｓ１４が切り替えられる毎に同期して、スイッチＳ１５，Ｓ１６を交互に切り替えればよい。このように、本実施例では、コンデンサを使用することなく、入力信号を切り替える第１の切替回路１５のスイッチ切替時に発生するボツ音ノイズを低減させることが可能となる。
【００１３】
なお、第１の切替回路１５と第２の切替回路１７のスイッチの同期的切替では、例えば前記したように、スイッチＳ１１，Ｓ１２の切替においては、スイッチＳ１１とＳ１５が同時にオフ、スイッチＳ１２とＳ１６が同時にオンとなるとき、スイッチＳ１１とＳ１２が同時にオンし、またスイッチＳ１５とＳ１６も同様に同時にオンする過渡状態が発生することは問題ないが、スイッチＳ１１とＳ１２が同時にオフになり、スイッチＳ１５とＳ１６が同時にオフになる過渡状態が発生することは、新たなボツ音ノイズ発生の要因となるので、避ける必要がある。
【００１４】
また、第２の切替回路１７は、これを第１の切替回路１５と同じ構成、つまりスイッチＳ１１〜Ｓ１４と同一特性のＭＯＳＦＥＴによる４個のスイッチを有するように構成すれば、第１の切替回路１５のスイッチＳ１１〜Ｓ１４の切替を制御する制御信号と同じ制御信号によって、その第２の切替回路１７の４個のスイッチを制御することができ、制御系の設計が容易となる。
【００１５】
また、電圧ホロアを構成する演算増幅器１６は、これをスイッチと同様に、ＭＯＳＦＥＴにより構成することができるが、ボツ音ノイズに対して同相除去機能をもつので、バイポーラトランジスタを使用した構成であっても良い。
【図面の簡単な説明】
【００１６】
【図１】本発明の１つの実施例の入力切替回路の構成を示すブロック図である。
【図２】従来の入力切替回路の構成を示すブロック図である。
【図３】従来の別の入力切替回路の構成を示すブロック図である。
【符号の説明】
【００１７】
１０：入力切替回路、１１〜１４：入力端子、１５：第１の切替回路、１６：演算増幅器、１７：第２の切替回路、１８：出力端子
２０：入力切替回路、２１，２２：入力端子、２３〜２５：増幅器、２６：出力端子、２７：制御端子
３０：入力切替回路、３１〜３４：入力端子、３５：電圧ホロワ、３６：出力端子、３７：コンデンサ
【図１】
2008085451.tif 000003
【図２】
2008085451.tif 000004
【図３】
2008085451.tif 000005